(57)【要約】【課題】  ギアを介して操作レバーの回動操作を自動変速機に伝達するものにおいて、容易に当該ギアの噛み合いを正規な位置で組み付けることができ、組み立て時の作業性を向上させることができる車両用自動変速操作装置を提供する。【解決手段】  ブラケット１ａ、１ｂと、該ブラケットに回動自在に支持された操作レバー２と、歯面３ａが形成されたレバーブラケット３と、該レバーブラケット３の歯面３ａと噛み合う歯面４ａが形成されてギアを構成するとともに、変速機との間に介在するワイヤにより当該変速機を操作するセレクトリンク４とを具備した車両用自動変速操作装置において、歯面３ａと歯面４ａとをブラケット１ｂに対して正規の位置で噛み合わせて組み付けるための治具ピンＰを挿通させ得る位置決め用孔がレバーブラケット３、セレクトリンク４及びブラケット１ｂにそれぞれ形成されたものである。【選択図】図９
2005273817.tif 000002
【特許請求の範囲】
【請求項１】
車両に固定されるブラケットと、
該ブラケットに回動自在に支持された操作レバーと、
該操作レバーの基端側に設けられ、歯面が形成されたレバーブラケットと、
該レバーブラケットの歯面と噛み合う歯面が形成されてギアを構成するとともに、前記操作レバーの回動動作が伝達されて回動可能とされ、車両が具備する変速機との間に介在するワイヤにより当該変速機を操作するセレクトリンクと、
を具備した車両用自動変速操作装置において、
前記レバーブラケットの歯面と前記セレクトリンクの歯面とを前記ブラケットに対して正規の位置で噛み合わせて組み付けるための治具ピンを挿通させ得る位置決め用孔が当該レバーブラケット、セレクトリンク及びブラケットにそれぞれ形成されたことを特徴とする車両用自動変速操作装置。
【請求項２】
前記位置決め用孔は、前記ブラケットの両側面に亘って前記治具ピンを貫通し得るよう形成されたことを特徴とする請求項１記載の車両用自動変速操作装置。
【発明の詳細な説明】
【技術分野】
【０００１】
本発明は、操作レバーの回動動作をギアを介してセレクトリンクに伝達し変速操作を行い得る車両用自動変速操作装置に関するものである。
【背景技術】
【０００２】
一般に、自動変速機（オートマチック  トランスミッション）を具備した車両においては、運転者がその操作を行うための操作レバーを有した自動変速操作装置が配設されており、該操作レバーは、例えばパーキング位置（Ｐ）、リバース位置（Ｒ）、ニュートラル位置（Ｎ）及びドライブ位置（Ｄ）等の間で回動自在とされている。また、操作レバーの基端には、自動変速機とプッシュプルワイヤ等を介して接続されるレバーブラケットが固着されており、このレバーブラケットに操作レバーの回動軸が形成されている。
【０００３】
然るに、近時におけるユーザーの嗜好の多様化により車内のレイアウトの制約等が厳しくなりつつあり、自動変速操作装置の構造や配設位置等においても種々の構造のものが求められるようになっているのが実情である。そこで、従来より、例えば特許文献１で開示されているように、操作レバーの揺動方向と自動変速機まで延びるプッシュプルワイヤの動作方向とを同一とすべく、ギアを介在させた構成のものが提案されるに至っている。
【０００４】
かかる従来の自動変速操作装置は、そのレバーブラケットに歯面を形成するとともに、該歯面と噛み合う歯面を有してギアを形成するセレクトリンクを具備して構成されている。このセレクトリンクは、操作レバーと同様、ブラケットに対して回動自在に支持されているとともに、自動変速機まで延びるプッシュプルワイヤが接続されている。そして、操作レバーを操作すると、その回動動作がギアを介してセレクトリンクに伝達され回動し、自動変速機を操作可能とされていた。
【特許文献１】特開平７−３１５０７０号公報
【発明の開示】
【発明が解決しようとする課題】
【０００５】
しかしながら、上記従来の車両用自動変速操作装置においては、操作レバーの基端側に配設されたレバーブラケットの歯面とセレクトリンクに形成された歯面とによりギアを構成し、当該操作レバーの回動動作をセレクトリンクに伝達して自動変速機の操作を行うよう構成されていたので、組み立て過程において以下のような問題があった。
【０００６】
即ち、レバーブラケット及びセレクトリンクをブラケットに組み立てる際、正規の位置からずれた位置で両部材の歯面同士を噛み合わせてしまう虞があり、かかる状態でレバーブラケット及びセレクトリンクが組み付けられると、操作レバーの回動動作に対するギアの位置関係がずれてしまい、プッシュプルワイヤを介して行われる操作レバーと自動変速機との同期が行われなくなってしまうという問題があった。
【０００７】
本発明は、このような事情に鑑みてなされたもので、ギアを介して操作レバーの回動操作を自動変速機に伝達するものにおいて、容易に当該ギアの噛み合いを正規な位置で組み付けることができ、組み立て時の作業性を向上させることができる車両用自動変速操作装置を提供することにある。
【課題を解決するための手段】
【０００８】
請求項１記載の発明は、車両に固定されるブラケットと、該ブラケットに回動自在に支持された操作レバーと、該操作レバーの基端側に設けられ、歯面が形成されたレバーブラケットと、該レバーブラケットの歯面と噛み合う歯面が形成されてギアを構成するとともに、前記操作レバーの回動動作が伝達されて回動可能とされ、車両が具備する変速機との間に介在するワイヤにより当該変速機を操作するセレクトリンクとを具備した車両用自動変速操作装置において、前記レバーブラケットの歯面と前記セレクトリンクの歯面とを前記ブラケットに対して正規の位置で噛み合わせて組み付けるための治具ピンを挿通させ得る位置決め用孔が当該レバーブラケット、セレクトリンク及びブラケットにそれぞれ形成されたことを特徴とする。
【０００９】
請求項２記載の発明は、請求項１記載の車両用自動変速操作装置において、前記位置決め用孔は、前記ブラケットの両側面に亘って前記治具ピンを貫通し得るよう形成されたことを特徴とする。
【発明の効果】
【００１０】
請求項１の発明によれば、ギアを介して操作レバーの回動操作を自動変速機に伝達する車両用自動変速操作装置において、容易に当該ギアの噛み合いを正規な位置で組み付けることができるので、車両用自動変速操作装置の組み立て時の作業性を向上させることができる。
【００１１】
請求項２の発明によれば、位置決め用孔がブラケットの両側面に亘って治具ピンを貫通し得るよう形成されたので、車両用自動変速操作装置の組み立て時におけるレバーブラケット及びセレクトリンクの組み付けを容易に行わせることができるとともに、当該車両用自動変速操作装置を車両に組み付ける際など、位置決め用孔に別途の固定ピンを貫通させることができ、作業中、ブラケットに対して操作レバー（レバーブラケット含む）及びセレクトリンクを固定させておくことができる。
【００１２】
即ち、位置決め用孔をブラケットの両側面に貫通させて形成することにより、組み立て時には治具ピンを挿通させてレバーブラケット及びセレクトリンクの位置決めを行わせることができるとともに、車両への組み付け作業時などには固定ピンを挿通させて操作レバー及びセレクトリンクを一時的に固定させておくことができ、両作業において有効なものとなり得るのである。
【発明を実施するための最良の形態】
【００１３】
以下、本発明の実施形態について図面を参照しながら具体的に説明する。
本実施形態に係る車両用自動変速操作装置は、操作レバーの回動動作をギアを介してセレクトリンクに伝達し変速操作を行い得るものであり、図１に示すように、車両に固定されるブラケット１ａ、１ｂと、組み付けられたブラケット１ａ、１ｂ内で回動自在に支持された操作レバー２と、該操作レバー２の基端側に設けられたレバーブラケット３（図２参照）と、セレクトリンク４とから主に構成されている。
【００１４】
ブラケット１ａは、金属製の板状部材から成り、操作レバー２の位置に応じた形状の誤操作防止窓部１ａａが形成されるとともに、操作レバー２或いはセレクトリンク４の回動軸Ｌ１、Ｌ２を挿通させる孔１ａｃ及び１ａｄが形成されている。更に、ブラケット１ａの所定位置には、同図及び図７に示すように、後述する治具ピンＰや固定ピン（不図示）を挿通させ得る位置決め用孔１ａｂが形成されている。そして、当該ブラケット１ａがブラケット１ｂに組み付けられて、自動変速操作装置の筐体を構成し、車体に固定されるようになっている。
【００１５】
ブラケット１ｂは、図６に示すように、回動軸Ｌ１、Ｌ２を有してレバーブラケット３及びセレクトリンク４を回動自在に保持し得るとともに、上部側壁面には、波形状部１ｂａが形成されている。かかる波形状部１ｂａには、レバーブラケット３側にディテントスプリング９（図３参照）を介して取り付けられたボール１０（同図参照）が当接することとなり、操作レバー２を回動操作した際の節度が付与される。また、ブラケット１ｂには、ブラケット１ａに形成された誤操作防止窓部１ａａと同様な誤操作防止窓部１ｂｃが形成されており、該誤操作防止窓部１ｂｃも操作レバー２の位置に応じた形状とされている。
【００１６】
更に、ブラケット１ｂの所定位置には、図６に示すように、治具ピンＰや固定ピンを挿通させ得る位置決め用孔１ｂｂが形成されている。回動軸Ｌ１及びＬ２にの突端は雄ネジが形成されており、ブラケット１ｂにレバーブラケット３やセレクトリンク４等を組み付けた後、ブラケット１ａを介して当該雄ネジにナットＮ１、Ｎ２を螺合させて車両用自動変速操作装置が組み立てられるよう構成されている。そして、組み立てられた状態にて、ブラケット１ｂの位置決め用孔１ｂｂとブラケット１ａの位置決め用孔１ａｂとが対向するようになっている。
【００１７】
操作レバー２は、変速操作時に運転者が把持して任意の位置まで回動可能とされたもので、図２に示すように、上端側にはプッシュノブ２ａが配設されるとともに下側はレバーパイプ３ｂ（図３参照）を介してレバーブラケット３に連結されている。かかるレバーパイプ３ｂ内には、図３に示すように、スプリング８を介してロッドロックピン７が配設されており、該ロッドロックピン７には既述の誤操作防止窓部１ａａ、１ｂｃに挿通し得るロックピン２ｂが配設される。
【００１８】
然るに、操作レバー２がパーキング位置（Ｐ）にあるとき、ロックピン２ｂが誤操作防止窓部１ａａに係止されて、当該操作レバー２のリバース位置（Ｒ）側への回動操作が規制されている一方、プッシュノブ２ａを押圧操作すれば、ロッドロックピン７がスプリング８の付勢力に抗して下降してロックピン２ｂによる係止が解かれ、操作レバー２をパーキング位置（Ｐ）からリバース位置（Ｒ）へ回動可能としている。
【００１９】
かかる構成により、所定の変速操作時にはプッシュノブ２ａを押圧しながら操作レバー２を回動させる必要があり、誤操作の防止が図られている。尚、同様に、操作レバー２をリバース位置（Ｒ）からパーキング位置（Ｐ）、ニュートラル位置（Ｎ）からリバース位置（Ｒ）、及びドライブ位置（Ｄ）から２速位置（２）まで回動させる際にも、プッシュノブ２ａを押圧操作しないと操作レバー２が回動しないようになっている。
【００２０】
レバーブラケット３は、既述の如く操作レバー２の下端側（基端側）に形成されて当該操作レバー２と共に回動し得るもので、回動軸Ｌ１を挿通し得る挿通孔３ｃが形成されている。また、挿通孔３ｃより下側（即ち、回動軸Ｌ１より下方）には、複数の歯を有した歯面３ａが形成されており、かかる歯面３ａも操作レバー２と共に回動されるよう構成されている。更に、レバーブラケット３の下部には、図４に示すように、リブ３ｄａが延設されており、該リブ３ｄａに位置決め用孔３ｄが形成されている。
【００２１】
セレクトリンク４は、回動軸Ｌ２が挿通される挿通孔４ｂが形成され、当該回動軸Ｌ２を中心に回動自在とされたもので、上部にはレバーブラケット３の歯面３ａと噛み合う歯面４ａが形成されている。また、セレクトリンク４の下部にはエンドボルト５を挿通し得る孔４ｃが形成されており、該エンドボルト５と車両の自動変速機との間にプッシュプルワイヤＷ（図２参照）が接続されるよう構成されている。更に、セレクトリンク４の所定部位には、図５に示すように、位置決め用孔４ｄが形成されている。
【００２２】
これにより、歯面３ａと４ａとでギアを構成しており、操作レバー２を操作すると、当該ギアにより、操作レバー２の回動動作がセレクトリンク４に伝達され、プッシュプルワイヤＷを介して自動変速機を操作し得るようになっている。即ち、操作レバー２の回動方向とプッシュプルワイヤＷの動作方向とが同一となるのである。尚、図３における符号６は操作レバーカバーを示しており、該操作レバーカバー６の略中央に形成された孔６ａ内にレバーパイプ３ｂが挿通され、操作レバー２の回動操作と共に操作レバーカバー６が動作するよう構成されている。
【００２３】
ここで、ブラケット１ｂ、レバーブラケット３及びセレクトリンク４のそれぞれに形成された位置決め用孔１ｂｂ、３ｄ及び４ｄは、当該ブラケット１ｂに対して正規な位置（設計上予定された位置）にて歯面３ａと４ａとが噛み合って組み付けられた状態で、合致するようになっている。即ち、ブラケット１ｂの位置決め用孔１ｂｂに治具台Ｇから上方に突出した治具ピンＰを挿通させておき（図８参照）、該治具ピンＰに位置決め用孔３ｄを挿通させてレバーブラケット３を組み付けた後、位置決め用孔４ｄを挿通させてセレクトリンク４を組み付ければ、ブラケット１ｂに対して正規の位置にてレバーブラケット３及びセレクトリンク４が組み付けられるようになっている。
【００２４】
従って、治具ピンＰに対して順にブラケット１ｂ、レバーブラケット３、セレクトリンク４を挿通させるだけで、容易に歯面３ａ及び４ａが成すギアの噛み合いを正規な位置で組み付けることができ、車両用自動変速操作装置の組み立て時の作業性を向上させることができる。その後、図９に示すように、治具ピンＰにブラケット１ａの位置決め用孔１ａｂを挿通させ、回動軸Ｌ１及びＬ２の突端にナットＮ１及びＮ２を螺合させれば組み立て作業が完了するので、車両用自動変速装置を治具台Ｇから取り除く。
【００２５】
然るに、上記の如く組み立てられた車両用自動変速装置を車両へ組み付ける際、操作レバー２やセレクトリンク４の回動軸Ｌ１、Ｌ２を中心とした回動を規制すべく、これら部材を一時的に固定させる必要がある。かかる作業において、治具ピンＰと略同一径である別途の固定ピン（不図示）をブラケット１ａの位置決め用孔１ａｂとブラケット１ｂの位置決め用孔１ｂｂとに亘って挿通させれば、操作レバー２やセレクトリンク４の回動を一時的に規制することができ、車両への組み付け作業を向上させることができる。
【００２６】
このように、位置決め用孔をブラケットの両側面に貫通させて形成することにより、車両用自動変速操作装置の組み立て時には治具ピンＰを挿通させてレバーブラケット３及びセレクトリンク４の位置決めを行わせることができるとともに、車両への組み付け作業時には固定ピンを挿通させて操作レバー２及びセレクトリンク４を一時的に固定させておくことができ、両作業において有効なものとなり得るのである。
【００２７】
以上、本実施形態について説明したが、本発明はこれに限定されず、例えばブラケット１ａに位置決め用孔１ａｂを設けず、レバーブラケット３及びセレクトリンク４のブラケット１ｂに対する組み付け時の位置決めのみを行わせるものとしてもよい。また、位置決め用孔は、本実施形態の如く丸孔に限定されず、治具ピンＰの断面形状に倣った形状であれば、楕円や矩形状の孔としてもよい。
【００２８】
更に、本発明は、本実施形態のものとはブラケットの形状が異なるもの、或いは操作レバー２の外観形状が異なるもの等にも適用することができる。勿論、自動変速操作装置においては一般的なパーキングロック機構等は如何なる形態のものであってもよい。
【産業上の利用可能性】
【００２９】
レバーブラケットの歯面とセレクトリンクの歯面とをブラケットに対して正規の位置で噛み合わせて組み付けるための治具ピンを挿通させ得る位置決め用孔が当該レバーブラケット、セレクトリンク及びブラケットにそれぞれ形成された車両用自動変速操作装置であれば、外観形状が異なるもの或いは他の機能が付加されたものにも適用することができる。
【図面の簡単な説明】
【００３０】
【図１】本発明の実施形態に係る車両用自動変速操作装置を示す斜視図
【図２】同車両用自動変速操作装置の板状のブラケットを取り外した状態を示す側面図
【図３】同車両用自動変速操作装置を示す分解斜視図
【図４】同車両用自動変速操作装置におけるレバーブラケットの位置決め用孔を示す拡大図
【図５】同車両用自動変速操作装置におけるセレクトリンクの位置決め用孔を示す拡大図
【図６】同車両用自動変速操作装置におけるブラケット１ｂの内側を示す模式図
【図７】同車両用自動変速操作装置におけるブラケット１ａを示す模式図
【図８】同車両用自動変速操作装置を組み立てる過程であって、治具ピンにブラケットの位置決め用孔を挿通させた状態を示す断面模式図
【図９】同車両用自動変速操作装置を組み立てる工程を示し、治具ピンにブラケット、レバーブラケット、セレクトリンク及び板状のブラケットの各位置決め用孔を挿通させた状態を示す断面模式図
【符号の説明】
【００３１】
１ａ、１ｂ  ブラケット
１ａｂ、１ｂｂ  位置決め用孔
２  操作レバー
３  レバーブラケット
３ａ  歯面
３ｄ  位置決め用孔
４  セレクトリンク
４ａ  歯面
４ｄ  位置決め用孔
５  エンドボルト
６  操作レバーカバー
７  ロッドロックピン
８  スプリング
９  ディテントスプリング
１０  ボール
Ｌ１、Ｌ２  回動軸
Ｐ  治具ピン
【図１】
2005273817.tif 000003
【図２】
2005273817.tif 000004
【図３】
2005273817.tif 000005
【図４】
2005273817.tif 000006
【図５】
2005273817.tif 000007
【図６】
2005273817.tif 000008
【図７】
2005273817.tif 000009
【図８】
2005273817.tif 000010
【図９】
2005273817.tif 000011